(57)【要約】【課題】  観察環境が変化しても、適切なカラーマッチングの実現を可能とする。【解決手段】  カラー画像を観察する観察条件を取得する観察条件取得部１１１と、観察条件取得部１１１で取得した観察条件に対応する色パッチを備える色チャートを出力する色チャート出力部１１２と、色チャート出力部１１２から出力された色チャートに含まれる色パッチの測色値を取得する測色値取得部１１３と、測色値取得部１１３で取得した測色値に基づいて、観察条件に応じた色処理条件に係るプロファイルを生成する生成部１１４を備える。【選択図】  図１
2010109473.tif 000002
【特許請求の範囲】
【請求項１】
カラー画像を観察する観察条件を取得する観察条件取得部と、
前記観察条件に対応する色パッチを備える色チャートを出力する色チャート出力部と、
前記色チャート出力部から出力された色チャートに含まれる色パッチの測色値を取得する測色値取得部と、
前記測色値取得部で取得した測色値に基づいて、前記観察条件に応じた色処理条件に係るプロファイルを生成する生成部と
を有することを特徴とする色処理装置。
【請求項２】
前記色チャートに含まれる色パッチは、前記観察条件に応じて異なることを特徴とする請求項１に記載の色処理装置。
【請求項３】
前記生成部は、基準の色処理条件を前記測色値に基づいて補正することにより、前記観察条件に応じた色処理条件に係るプロファイルを生成することを特徴とする請求項１または２に記載の色処理装置。
【請求項４】
前記色チャート出力部は、前記観察条件取得部で取得した観察条件に対応する色域形状に基づいて、前記色パッチの分布の疎密が小さくなる前記色チャートを選択し、当該選択した色チャートを出力することを特徴とする請求項１乃至３のいずれか１項に記載の色処理装置。
【請求項５】
前記観察条件取得部は、前記観察条件として、前記カラー画像を観察する環境の光源の種類および当該光源の色温度を取得することを特徴とする請求項１乃至４のいずれか１項に記載の色処理装置。
【請求項６】
前記観察条件に対応する色パッチの構成を設定する色パッチ構成設定部を更に有し、
前記色チャート出力部は、前記色パッチ構成設定部の設定に基づく色パッチ構成の色チャートを出力することを特徴とする請求項１乃至５のいずれか１項に記載の色処理装置。
【請求項７】
前記観察条件取得部は、前記カラー画像を観察する観察条件に加えて、基準となる基準観察条件を更に取得するものであり、
前記色パッチ構成設定部は、前記基準観察条件に対応する色域である基準色域と、前記カラー画像を観察する観察条件に対応する色域である観察色域とを比較した結果に基づいて、前記色パッチの構成を設定することを特徴とする請求項６に記載の色処理装置。
【請求項８】
前記色パッチ構成設定部は、前記基準色域よりも前記観察色域の明度範囲、最大彩度、体積のいずれかが大きい場合、前記基準色域に対応する色パッチの数に、前記観察色域と前記基準色域との差に応じた色パッチの数を追加して、前記色パッチの構成を設定し、
前記基準色域よりも前記観察色域の明度範囲、最大彩度、体積のいずれかが小さい場合、前記基準色域に対応する色パッチの数から、前記基準色域と前記観察色域との差に応じた色パッチの数を削減して、前記色パッチの構成を設定することを特徴とする請求項７に記載の色処理装置。
【請求項９】
前記色パッチ構成設定部は、前記観察条件に対応する色パッチの数の増減を調整して、前記色パッチの構成を設定することを特徴とする請求項６乃至８のいずれか１項に記載の色処理装置。
【請求項１０】
カラー画像を観察する観察条件を取得する観察条件取得ステップと、
前記観察条件に対応する色パッチを備える色チャートを出力する色チャート出力ステップと、
前記色チャート出力ステップで出力された色チャートに含まれる色パッチの測色値を取得する測色値取得ステップと、
前記測色値取得ステップで取得した測色値に基づいて、前記観察条件に応じた色処理条件に係るプロファイルを生成する生成ステップと
を有することを特徴とする色処理方法。
【請求項１１】
カラー画像を観察する観察条件を取得する観察条件取得ステップと、
前記観察条件に対応する色パッチを備える色チャートを出力する色チャート出力ステップと、
前記色チャート出力ステップで出力された色チャートに含まれる色パッチの測色値を取得する測色値取得ステップと、
前記測色値取得ステップで取得した測色値に基づいて、前記観察条件に応じた色処理条件に係るプロファイルを生成する生成ステップと
をコンピュータに実行させるためのプログラム。
【発明の詳細な説明】
【技術分野】
【０００１】
本発明は、色チャートを出力する色処理装置及び色処理方法、並びに、当該色処理方法をコンピュータに実行させるためのプログラムに関するものである。
【背景技術】
【０００２】
カラー画像を扱うデバイスの普及に伴い、オフィスで複数のプリンタを利用してカラー画像を出力したり、作成したカラー画像をネットワークで送受信した先で出力したりといった用途が、増加している。その際、個々のデバイス特性の相違に起因して、同じカラー画像データであっても、再現される色に相違が生じることが問題となっている。これは、デバイスごとに、色の表現方法（ＲＧＢやＣＭＹＫなど）や再現可能な色の範囲（以下、この再現可能な色の範囲を「色域」という）が異なるためである。
【０００３】
そこで、デバイス間の色を一致させるためには、デバイスに非依存の色空間（ＣＩＥＬＡＢやＣＩＥＣＡＭ０２など）において、デバイスごとの色域の差を適切に補正する色変換処理を行う必要がある。例えば、モニタに表示したカラー画像をプリンタで出力する場合、一般にモニタの色域の方がプリンタの色域よりも広いため、この場合、プリンタで再現不可能な色をプリンタで再現可能な色に変換する色処理が必要である。
【０００４】
近年、このようなデバイス間の色を一致させるカラーマッチング技術として、カラーマネージメントシステム（ＣＭＳ）が提案されている。一般的なＣＭＳは、デバイス特性を示すプロファイル（例えば、ＩＣＣプロファイル）を用いる。例えば、プリンタのプロファイルは、所定の色パッチを含む色チャートを印刷し、この印刷結果を専用の測定器にて測定し、専用のプログラムが実行されるコンピュータにおいて測定結果を処理することにより作成される。このプロファイルには、デバイス依存色空間とデバイス非依存色空間との対応関係が記述されており、このプロファイルを用いてカラー画像の色を補正することでカラーマッチングを実現する。よって、精度良い色変換処理を実現するためには、適切なプロファイルを使用することが重要である。
【０００５】
ところで、デバイス特性は、カラー画像を出力する出力物の観察環境等によって変化する。例えば、部屋の光源が蛍光灯の場合と白熱灯の場合では、同じデバイスで出力した同じカラー画像であっても人間が感じる色は異なって見える。そこで、このような画像の観察条件の違いによる色の見えの差を補正するために、所望の光源下で色の見えを推定する方法が提案されている（例えば、下記の特許文献１参照）。
【０００６】
【特許文献１】特開２００５−２１０６４６号公報
【発明の開示】
【発明が解決しようとする課題】
【０００７】
従来では、出力物の観察条件に依らずに特定の色パッチ構成の色チャートを用いてプロファイルを生成するものであった。しかしながら、画像の観察条件が変化すると、デバイス特性、即ち色域形状も変化するため、色チャートの色パッチの分布に偏りが生じ、プロファイルの色再現精度が低下するという問題があった。また、特許文献１は、色チャートの作成を好適に行う技術に関するものではない。
【０００８】
本発明は、このような問題点に鑑みてなされたものであり、観察環境が変化しても、適切なカラーマッチングの実現を可能とする色処理装置、色処理方法及びプログラムを提供することを目的とする。
【課題を解決するための手段】
【０００９】
本発明の色処理装置は、カラー画像を観察する観察条件を取得する観察条件取得部と、前記観察条件に対応する色パッチを備える色チャートを出力する色チャート出力部と、前記色チャート出力部から出力された色チャートに含まれる色パッチの測色値を取得する測色値取得部と、前記測色値取得部で取得した測色値に基づいて、前記観察条件に応じた色処理条件に係るプロファイルを生成する生成部とを有する。
【００１０】
本発明の色処理方法は、カラー画像を観察する観察条件を取得する観察条件取得ステップと、前記観察条件に対応する色パッチを備える色チャートを出力する色チャート出力ステップと、前記色チャート出力ステップで出力された色チャートに含まれる色パッチの測色値を取得する測色値取得ステップと、前記測色値取得ステップで取得した測色値に基づいて、前記観察条件に応じた色処理条件に係るプロファイルを生成する生成ステップとを有する。
【００１１】
本発明のプログラムは、カラー画像を観察する観察条件を取得する観察条件取得ステップと、前記観察条件に対応する色パッチを備える色チャートを出力する色チャート出力ステップと、前記色チャート出力ステップで出力された色チャートに含まれる色パッチの測色値を取得する測色値取得ステップと、前記測色値取得ステップで取得した測色値に基づいて、前記観察条件に応じた色処理条件に係るプロファイルを生成する生成ステップとをコンピュータに実行させるためのものである。
【発明の効果】
【００１２】
本発明によれば、観察環境が変化しても、適切なカラーマッチングを実現することが可能となる。
【発明を実施するための最良の形態】
【００１３】
以下に、図面を参照しながら、本発明を実施するための最良の形態（実施形態）について説明する。
【００１４】
（第１の実施形態）
まず、本発明の第１の実施形態について記載する。
図１は、本発明の第１の実施形態に係る色処理システム１００の概略構成の一例を示す模式図である。
【００１５】
第１の実施形態における色処理システム１００は、図１に示すように、色処理装置１１０と、色変換装置１２０を有して構成されている。また、色処理装置１１０は、観察条件取得部１１１と、色チャート出力部１１２と、測色値取得部１１３と、生成部１１４を有して構成されている。
【００１６】
観察条件取得部１１１は、カラー画像の出力物を観察する環境の光源の種類や色温度といった観察条件を取得するものである。
【００１７】
色チャート出力部１１２は、複数の色チャートを具備しており、観察条件取得部１１１で取得した観察条件に基づく色パッチ（色パッチ画像）を備える色チャート（色チャート画像）を選択（或いは生成）して、これを出力媒体に出力するものである。なお、この色チャートには、必要に応じて、複数の色パッチが設けられる。
【００１８】
測色値取得部１１３は、色チャート出力部１１２から出力媒体に出力した色チャートを、測定器等を用いて測色した際の測色値を取得するものである。
【００１９】
生成部１１４は、測色値取得部１１３で取得した測色値に基づいて、観察条件取得部１１１で取得した観察条件に適した色処理条件に係るプロファイルを生成するものである。
【００２０】
色変換装置１２０は、生成部１１４で生成されたプロファイルを用いて、入力されたカラー画像の色変換処理を行うものである。
【００２１】
次に、図１に示す色処理装置１１０における色処理の処理手順について説明する。
図２は、本発明の第１の実施形態を示し、図１に示す色処理装置１１０における色処理方法の処理手順の一例を示すフローチャートである。ここで、図２に示すフローチャートでは、ユーザが設定した観察条件に適した色処理を実施するものについて説明する。
【００２２】
まず、図２のステップＳ１０１において、観察条件取得部１１１は、ユーザが設定した、カラー画像を観察する観察条件を取得する処理を行う。ここで、この観察条件としては、少なくとも、光源の種類と光源の色温度の情報を取得することが望ましい。なお、ユーザによる観察条件の設定は、所望の方法で設定することができ、例えば、図３に示すユーザインターフェイスを用いて設定することが可能である。
【００２３】
図３は、本発明の第１の実施形態を示し、観察条件を設定する際に用いるユーザインターフェイスの一例を示す模式図である。
図３において、ラジオボタン３０１は、観察条件の設定方法を選択するためのボタンである。測定ボタン３０２は、観察条件の測定を指示するボタンである。リストボックス３０３は、光源の種類を選択するためのものである。エディットボックス３０４は、光源の色温度を指定するためのものである。
【００２４】
例えば、色処理装置１１０とカラー画像を観察する場所が同じであり、観察条件を測定可能な測定器があれば、ラジオボタン３０１で「観察条件を測定器で測定」を選択後、測定ボタン３０２から指示を出して測定結果を観察条件として設定すればよい。
【００２５】
また、例えば、色処理装置１１０とカラー画像を観察する場所が離れている場合や測定器がない場合には、ラジオボタン３０１で「所望の観察条件を指定」を選択する。そして、リストボックス３０３及びエディットボックス３０４に設定可能な条件の中から所望の観察環境に近い観察条件を定めて設定してもよい。図３には、これらの場合について示しており、観察条件として、光源の種類が「三波長型」、光源の色温度が「４５００Ｋ」の条件が示されている。
【００２６】
ここで、再び、図２の説明に戻る。
続いて、ステップＳ１０２において、色チャート出力部１１２は、ステップＳ１０１で取得された観察条件に基づいて、好適な色パッチ構成の色チャートを選択する処理を行う。ここで、色チャートの選択方法について、図４を用いて説明する。
【００２７】
図４は、本発明の第１の実施形態を示し、図１に示す色チャート出力部１１２で観察条件に応じた色チャートを選択する際に用いる色チャート選択テーブルの一例を示す模式図である。この図４に示す色チャート選択テーブルは、各色チャートと共に、例えば、色チャート出力部１１２の内部に保持されている。
【００２８】
例えば、図３に示す光源の種類が「三波長型」で、光源の色温度が「４５００Ｋ」の場合、色チャート出力部１１２は、図４に示す色チャート選択テーブルを参照することにより、「Ｃｈａｒｔ０５」の色チャートを選択する。なお、光源の色温度が４０００Ｋの場合には、上段の色チャート及び中段の色チャートのどちらの色チャートを選択してもよい。また、光源の色温度が６０００Ｋの場合には、中段の色チャート及び下段の色チャートのどちらの色チャートを選択してもよい。
【００２９】
なお、色チャートの選択方法は、図４に示すような色チャート選択テーブルを用いた方法に限定されるものではなく、所望の観察条件に応じて簡易化したり、細分化したりすることが可能である。また、観察条件と色チャートとの対応に関しては、想定される観察条件ごとに、事前に色域形状を確認し、好適な色パッチ構成の色チャートを予め作成しておくことで対応可能である。
【００３０】
ここで、観察条件とデバイスの色域との関係について図５及び図６を用いて説明する。
【００３１】
図５は、本発明の第１の実施形態を示し、観察条件による色パッチの疎密の一例を示す模式図である。具体的に、図５は、ＣＩＥＣＡＭ０２で定義されるアピアランス色空間において、あるデバイスの色域をＪａ平面に投影した模式図であり、図５の黒点は色パッチの色信号値を示している。なお、図５では、図５（ａ）に光源の種類が「高演色型」のものを示し、図５（ｂ）に光源の種類が「三波長型」のものを示している。
【００３２】
図５は、同じデバイスであっても、観察環境の光源の種類が変わると、色域形状が変化することを示している。図５（ａ）に示す光源の種類が「高演色型」の場合には、デバイスの色域がａ軸方向に広くなるのに対して、図５（ｂ）に示す光源の種類が「三波長型」の場合には、デバイスの色域がａ軸方向に狭くなる。また、観察環境の光源の色温度が変化した場合も、光源の種類と同様に、色域形状が変化する。一般に、光源の色温度が低くなると、デバイス色域はａ軸の正方向に広がり、ａ軸の負方向は狭くなる。反対に、光源の色温度が高くなると、デバイス色域はａ軸の負方向に広がり、ａ軸の正方向は狭くなる。
【００３３】
このように、観察条件によってデバイスの色域形状が変化するため、同じ色パッチ構成の色チャートを用いて、それぞれの観察条件に応じたプロファイルを生成すると、観察条件ごとにプロファイルの特性が変化する。図５に示す場合、図５（ａ）に示す光源の種類が「高演色型」ではａ軸方向の色パッチの分布（配列）が疎になり、図５（ｂ）に示す光源の種類が「三波長型」ではａ軸方向の色パッチの分布（配列）が密になる。このため、「高演色型」では、赤などのａ軸方向に広い色領域で色再現精度が低下する場合がある。そこで、観察条件に依存せず安定した精度でプロファイルを生成することが要求される。
【００３４】
図６は、本発明の第１の実施形態を示し、観察条件による色パッチ配列の疎密の補正の一例を示す模式図である。具体的に、図６は、図５と同様に、ＣＩＥＣＡＭ０２で定義されるアピアランス色空間において、あるデバイスの色域をＪａ平面に投影した模式図であり、図６（ａ）に光源の種類が「高演色型」のもの、図６（ｂ）に光源の種類が「三波長型」のものを示している。
【００３５】
但し、図６では、図５に対して、「高演色型」側の色パッチ構成を変更し、ａ軸方向に色パッチを追加することで色パッチ配列の疎密を低減（小さく）している。このように、本実施形態の色チャート出力部１１２では、観察条件ごとの色域形状に応じて好適に色パッチ構成を変更する（即ち、色パッチ構成が異なる）色チャートを選択するようにしている。これにより、後述する生成部１１４において、所望の観察条件に対して好適なプロファイルの生成が可能となる。
【００３６】
ここで、再び、図２の説明に戻る。
続いて、ステップＳ１０３において、色チャート出力部１１２は、ステップＳ１０２で選択した色チャートを出力媒体に出力する処理を行う。その後、出力媒体に出力された色チャートは、別途、測色器等を用いて測色される。ここで、測色により得られる測色値のデータは、デバイス依存の色信号値とデバイス非依存の色信号値との対応関係が定まるものであればよい。
【００３７】
続いて、ステップＳ１０４において、測色値取得部１１３は、ステップＳ１０３で出力媒体に出力した色チャートを、測定器等を用いて測色した際の測色値を取得する処理を行う。
【００３８】
続いて、ステップＳ１０５において、生成部１１４は、ステップＳ１０４で取得された測色値に基づいて、色処理条件に係るプロファイルを生成する。ここで生成される色処理条件に係るプロファイルは、デバイス依存の色信号値（例えばＲＧＢ値）とデバイス非依存の色信号値（例えばＪａｂ値）の相互変換条件に係るものである。一般的なプリンタの場合、その対応関係を示す表（ルックアップテーブル：ＬＵＴ）が生成され、プロファイルに記述される。
【００３９】
図７は、本発明の第１の実施形態を示し、図１に示す色変換装置１２０の色変換処理に係る内部構成の一例を示す模式図である。
【００４０】
色変換装置１２０は、図７に示すように、画像入力部１２１と、入力色変換部１２２と、出力色変換部１２３と、画像形成部１２４を有して構成されている。
【００４１】
まず、画像入力部１２１は、ＲＧＢ画像（カラー画像）の入力処理を行う。続いて、入力色変換部１２２は、対応する所定のプロファイルを用いて、画像入力部１２１から入力されたカラー画像のＲＧＢ値をＪａｂ値に変換する処理を行う。続いて、出力色変換部１２３は、生成部１１４で生成された色処理条件が記述されたプロファイルを用いて、入力色変換部１２２から出力されたＪａｂ値をＲＧＢ値に変換する処理を行う。そして、画像形成部１２４は、出力色変換部１２３から出力されたＲＧＢ値に基づいて出力物に出力する出力画像（カラー画像）を形成する処理を行う。このようにして、色変換装置１２０による色変換処理が行われる。
【００４２】
ここで、本実施形態と同様の構成において、既存（基準）の色処理条件を用いて、これを観察条件ごとに好適に補正して、観察条件に応じた色処理条件に係るプロファイルを生成することも可能である。この場合、例えば、図２のステップＳ１０１において、観察条件取得部１１１は、補正元のプロファイルから観察条件を取得する形態を採る。また、例えば、図２のステップＳ１０２において、色チャート出力部１１２は、観察条件ごとのプロファイル補正用の色パッチで構成された色チャートを選択する形態を採る。さらに、例えば、図２のステップＳ１０５において、生成部１１４は、既存（基準）の色処理条件をステップＳ１０４で取得した測色値に基づき補正して、ステップＳ１０１で取得した観察条件に応じた色処理条件に係るプロファイルを生成する形態を採る。これにより、所望の観察条件で既存（基準）の色処理条件に係るプロファイルを補正することが可能である。
【００４３】
第１の実施形態によれば、カラー画像を観察する観察条件に対応する色パッチを備える色チャートを出力するようにしたので、その後、その測定結果に基づいてプロファイルを作成することにより、当該観察条件に応じた高精度な色処理が可能になる。これにより、観察環境が変化しても、適切なカラーマッチングを実現することが可能となる。
【００４４】
（第２の実施形態）
次に、本発明の第２の実施形態について記載する。
上述した第１の実施形態では、カラー画像を観察する環境の観察条件におけるデバイス色域形状に応じた色パッチ構成の色チャートを選択し、その測色値から色変換条件に係るプロファイルを生成するものであった。ここで、ある基準観察条件に応じた基準色パッチ構成から、所望の観察条件に対応した色パッチ構成を用途に応じて動的に生成することも可能であり、この形態を本発明の第２の実施形態として以下に説明する。
【００４５】
図８は、本発明の第２の実施形態に係る色処理システム２００の概略構成の一例を示す模式図である。
第２の実施形態における色処理システム２００は、図８に示すように、色処理装置２１０と、色変換装置１２０を有して構成されている。ここで、色変換装置１２０は、図１に示す第１の実施形態におけるものと同様であるため、同じ符号を付している。また、色処理装置２１０は、観察条件取得部２１１と、色パッチ構成設定部２１２と、色チャート出力部２１３と、測色値取得部２１４と、生成部２１５を有して構成されている。
【００４６】
観察条件取得部２１１は、カラー画像の出力物を観察する環境の光源の種類や色温度といった観察条件と、基準となる基準観察条件を取得するものである。
【００４７】
色パッチ構成設定部２１２は、観察条件取得部２１１で取得した観察条件（更には、色パッチ構成の調整結果）に基づいて、色チャートとして出力する色パッチ構成を設定するものである。
【００４８】
色チャート出力部２１３は、色パッチ構成設定部２１２の設定に基づく色パッチ構成の色チャートを出力媒体に出力するものである。
【００４９】
測色値取得部２１４は、色チャート出力部２１３から出力媒体に出力した色チャートを、測定器等を用いて測色した際の測色値を取得するものである。
【００５０】
生成部２１５は、測色値取得部２１４で取得した測色値に基づいて、観察条件取得部２１１で取得した観察条件に適した色処理条件に係るプロファイルを生成するものである。
【００５１】
次に、図８に示す色処理装置２１０における色処理の処理手順について説明する。
図９は、本発明の第２の実施形態を示し、図８に示す色処理装置２１０における色処理方法の処理手順の一例を示すフローチャートである。ここで、図９に示すフローチャートでは、基準観察条件に応じた基準色パッチ構成から、所望の観察条件に対応した色パッチ構成を動的に生成することにより、所望の観察条件に適した色処理を実施するものについて説明する。
【００５２】
まず、図９のステップＳ２０１において、観察条件取得部２１１は、基準観察条件、及び、カラー画像を観察する観察条件を取得する処理を行う。ここで取得する観察条件としては、第１の実施形態と同様に、少なくとも、光源の種類と光源の色温度の情報を取得することが望ましい。また、観察条件の設定も、第１の実施形態と同様に、所望の方法で設定することができる。なお、基準観察条件としては、任意の観察条件を設定して構わないが、例えば、Ｄ５０光源などの一般的な光源における既存のプロファイル等から設定することが可能である。
【００５３】
続いて、ステップＳ２０２において、例えば色パッチ構成設定部２１２は、ステップＳ２０１で取得した２種類の観察条件（基準観察条件、及び、カラー画像を観察する観察条件）に基づいて、それぞれ色域を算出する処理を行う。ここで、基準観察条件に対応した色域（以下、「基準色域」と称する）は、例えばステップＳ２０１で基準観察条件を設定した際に用いたプロファイル等から求めればよい。また、カラー画像の観察条件に対応した色域（以下、「観察色域」と称する）は、事前に測定して求めてもよいし、既存のプロファイルから一般的な色順応予測式を利用して色域を推定して算出してもよい。
【００５４】
続いて、ステップＳ２０３において、例えば色パッチ構成設定部２１２は、ステップＳ２０２で算出した２種類の観察条件下のデバイス色域（基準色域及び観察色域）を比較する処理を行う。ここで、この色域の比較は、所望の方法を用いて構わないが、以下に、色域の比較と色パッチ構成の変化例を示す。
【００５５】
図１０は、本発明の第２の実施形態を示し、色域の明度範囲が変化したときの色パッチ構成の変化例を示す模式図である。即ち、図１０は、明度範囲を比較した例を示したものである。例えば、色パッチ構成設定部２１２は、図１０に示すような明度範囲の比較を行うことが可能である。
【００５６】
図１０（ａ）に示す基準観察条件における色パッチ数を基準として、図１０（ｂ）に示す観察条件Ａのように、観察色域の明度範囲が基準色域の明度範囲よりも狭く（小さく）なる場合、対応する明度範囲における色パッチは削減可能になる。これに対して、図１０（ｃ）に示す観察条件Ｂのように、観察色域の明度範囲が基準色域の明度範囲よりも広く（大きく）なる場合、対応する明度範囲における色パッチは追加可能になる。
【００５７】
ここで、削減或いは追加される色パッチは、明度範囲の差に応じて動的に変化し、差が大きくなるほど色パッチ数の変化量は大きくなる。また、明度範囲の差が小さい場合は、色パッチ数が変化しない場合もあり得る。
【００５８】
図１１は、本発明の第２の実施形態を示し、色域の最大彩度が変化したときの色パッチ構成の変化例を示す模式図である。即ち、図１１は、所望の色相における彩度を比較した例を示したものである。例えば、色パッチ構成設定部２１２は、図１１に示すような彩度（最大彩度）の比較を行うことも可能である。
【００５９】
図１１（ａ）に示す基準観察条件における色パッチ数を基準として、図１１（ｂ）に示す観察条件Ａのように、観察色域の最大彩度が基準色域の最大彩度よりも小さくなる場合、対応する色相における色パッチは削減可能になる。これに対して、図１１（ｃ）に示す観察条件Ｂのように、観察色域の最大彩度が基準色域の最大彩度よりも大きくなる場合、対応する色相における色パッチは追加可能になる。
【００６０】
ここで、削減或いは追加される色パッチは、最大彩度の差に応じて動的に変化し、差が大きくなるほど色パッチ数の変化量は大きくなる。また、最大彩度の差が小さい場合は、色パッチ数が変化しない場合もあり得る。
【００６１】
図１２は、本発明の第２の実施形態を示し、色域の体積が変化したときの色パッチ構成の変化例を示す模式図である。即ち、図１２は、所望の色領域の体積を比較した例を示したものであり、便宜上Ｊａ平面に写像した模式図である。例えば、色パッチ構成設定部２１２は、図１２に示すような色域の体積の比較を行うことも可能である。
【００６２】
図１２（ａ）に示す基準観察条件における色パッチ数を基準として、図１２（ｂ）に示す観察条件Ａのように、領域Ａにおける観察色域の体積が基準色域の体積よりも狭く（小さく）なる場合、領域Ａに含まれる色パッチは削減可能になる。一方、領域Ｂのように、観察色域の体積が基準色域の体積よりも広く（大きく）なる場合、領域Ｂに含まれる色パッチは追加可能になる。
【００６３】
ここで、削減或いは追加される色パッチは、体積の差に応じて動的に変化し、差が大きくなるほど色パッチ数の変化量は大きくなる。また、体積の差が小さい場合は、色パッチ数が変化しない場合もあり得る。
【００６４】
ここで、再び、図９の説明に戻る。
ステップＳ２０４に進むと、色パッチ構成設定部２１２は、ステップＳ２０３における比較結果に基づいて、色チャートに印字する色パッチ構成を設定する処理を行う。この際、例えば、図１３に示すユーザインターフェイスを用いて、外部から色パッチ構成を調整することも可能である。
【００６５】
図１３は、本発明の第２の実施形態を示し、色パッチ構成を調整する際に用いるユーザインターフェイスの一例を示す模式図である。
なお、図１３では、ＲＥＤ、ＹＥＬＬＯ、ＧＲＥＥＮ、ＣＹＡＮ、ＢＬＵＥ、ＭＡＧＥＮＴＡ、ＧＲＡＹの色領域ごとに、色パッチの追加及び削減を選択することが可能となっているが、色域の分割数や分割方法はこれに限られるものではない。例えば、色域を分割せずに全体を一括して調整してもよいし、デバイス色域の表面などを個別に設定できるようにしてもよい。また、肌色など特に色再現が重視される領域に関して個別に設定項目を設けてもよい。
【００６６】
図１３において、スライドバー１３０１は、色領域ごとの色パッチ数の増減を調整するためのである。スライドバー１３０１の最小値と最大値は、例えば、図１０〜図１２で示したように、ステップＳ２０３における色域の比較結果に応じて定めることができる。基本的には、基準色域よりも観察色域が大きくなる色領域では、最小値の下限は小さくなり、最大値の上限は大きくなる。一方、基準色域よりも観察色域が小さくなる色領域では、最小値の下限は大きくなり、最大値の上限は小さくなる。
【００６７】
また、図１３において、表示領域１３０２は、色領域ごとの色パッチ数の増減を表示するためのものである。表示領域１３０２の調整数が正の場合には、該当する色領域の色パッチ数は追加され、一方、負の場合には、色パッチ数が削減されて色チャートが構成されることになる。なお、表示領域１３０２の調整数が０の場合には、基準色パッチと同じ数で色チャートが構成されることになる。
【００６８】
例えば、ユーザは、色領域ごとにスライドバー１３０１を調整することにより、色領域ごとの色パッチ数の増減の調整を色パッチ構成設定部２１２に対して指示することにより、色パッチ構成を調整することが可能である。なお、色パッチ構成設定部２１２における色パッチ構成の設定方法は、上述した本実施形態に限定されるものではない。例えば、色パッチ構成の調整はせずに、ステップＳ２０３における色域の比較結果に基づいて自動的に色パッチ構成を設定してもよいし、図１３とは異なる所望のインターフェイスを用いて色パッチ構成を調整した上で設定してもよい。
【００６９】
ここで、再び、図９の説明に戻る。
ステップＳ２０５に進むと、色チャート出力部２１３は、ステップＳ２０４で設定された色パッチ構成に基づき色チャートを生成し、生成した色チャートを出力媒体に出力する処理を行う。その後、出力媒体に出力された色チャートは、別途、測色器等を用いて測色される。ここで、測色により得られる測色値のデータは、デバイス依存の色信号値とデバイス非依存の色信号値との対応関係が定まるものであればよい。
【００７０】
続いて、ステップＳ２０６において、測色値取得部２１４は、ステップＳ２０５で出力媒体に出力した色チャートを、測定器等を用いて測色した際の測色値を取得する処理を行う。
【００７１】
続いて、ステップＳ２０７において、生成部２１５は、ステップＳ２０６で取得された測色値に基づいて、色処理条件に係るプロファイルを生成する。ここで生成される色処理条件に係るプロファイルは、第１の実施形態と同様である。その後、第１の実施形態と同様に、色変換装置１２０による色変換処理が行われる。
【００７２】
第２の実施形態によれば、第１の実施形態における処理に加えて、色パッチ構成の設定・調整を行うようにしたので、第１の実施形態における効果に加えて、更に、用途に応じた色処理が可能となる。
【００７３】
（本発明の他の実施形態）
前述した本発明の各実施形態に係る色処理システムの各装置を構成する図１、図７、図８の各構成部、並びに色処理方法を示す図２、図９の各ステップは、コンピュータのＣＰＵがＲＡＭやＲＯＭなどに記憶されたプログラムを実行することによって実現できる。このプログラム及び前記プログラムを記録したコンピュータ読み取り可能な記録媒体は本発明に含まれる。
【００７４】
また、本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【００７５】
なお、本発明は、前述した実施形態の機能を実現するソフトウェアのプログラム（実施形態では、図２、図９に示すフローチャートに対応したプログラム）を、システム或いは装置に直接、或いは遠隔から供給するものを含む。そして、そのシステム或いは装置のコンピュータが前記供給されたプログラムコードを読み出して実行することによっても達成される場合も本発明に含まれる。
【００７６】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００７７】
その場合、プログラムの機能を有していれば、オブジェクトコード、インタプリタにより実行されるプログラム、ＯＳに供給するスクリプトデータ等の形態であってもよい。
【００７８】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【００７９】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【００８０】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００８１】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【００８２】
また、コンピュータが、読み出したプログラムを実行することによって、前述した実施形態の機能が実現される。その他、そのプログラムの指示に基づき、コンピュータ上で稼動しているＯＳなどが、実際の処理の一部又は全部を行い、その処理によっても前述した実施形態の機能が実現され得る。
【００８３】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【００８４】
なお、前述した各実施形態は、何れも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【図面の簡単な説明】
【００８５】
【図１】本発明の第１の実施形態に係る色処理システムの概略構成の一例を示す模式図である。
【図２】本発明の第１の実施形態を示し、図１に示す色処理装置における色処理方法の処理手順の一例を示すフローチャートである。
【図３】本発明の第１の実施形態を示し、観察条件を設定する際に用いるユーザインターフェイスの一例を示す模式図である。
【図４】本発明の第１の実施形態を示し、図１に示す色チャート出力部で観察条件に応じた色チャートを選択する際に用いる色チャート選択テーブルの一例を示す模式図である。
【図５】本発明の第１の実施形態を示し、観察条件による色パッチの疎密の一例を示す模式図である。
【図６】本発明の第１の実施形態を示し、観察条件による色パッチの疎密の補正の一例を示す模式図である。
【図７】本発明の第１の実施形態を示し、図１に示す色変換装置の色変換処理に係る内部構成の一例を示す模式図である。
【図８】本発明の第２の実施形態に係る色処理システムの概略構成の一例を示す模式図である。
【図９】本発明の第２の実施形態を示し、図８に示す色処理装置における色処理方法の処理手順の一例を示すフローチャートである。
【図１０】本発明の第２の実施形態を示し、色域の明度範囲が変化したときの色パッチ構成の変化例を示す模式図である。
【図１１】本発明の第２の実施形態を示し、色域の最大彩度が変化したときの色パッチ構成の変化例を示す模式図である。
【図１２】本発明の第２の実施形態を示し、色域の体積が変化したときの色パッチ構成の変化例を示す模式図である。
【図１３】本発明の第２の実施形態を示し、色パッチ構成を調整する際に用いるユーザインターフェイスの一例を示す模式図である。
【符号の説明】
【００８６】
１００  色処理システム
１１０  色処理装置
１１１  観察条件取得部
１１２  色チャート出力部
１１３  測色値取得部
１１４  生成部
１２０  色変換装置
【図１】
2010109473.tif 000003
【図２】
2010109473.tif 000004
【図３】
2010109473.tif 000005
【図４】
2010109473.tif 000006
【図５】
2010109473.tif 000007
【図６】
2010109473.tif 000008
【図７】
2010109473.tif 000009
【図８】
2010109473.tif 000010
【図９】
2010109473.tif 000011
【図１０】
2010109473.tif 000012
【図１１】
2010109473.tif 000013
【図１２】
2010109473.tif 000014
【図１３】
2010109473.tif 000015